(57)【特許請求の範囲】
【請求項１】
遊技球が流下可能な遊技領域を前面に有する遊技盤と、
前記遊技盤の前方に配置され、前記遊技領域を視認可能とする開口部が形成されたベース枠と、
前記ベース枠の前面に重ねられる複数の装飾部材と、
前記ベース枠を前後方向に貫通する複数のネジ挿通孔と、
各前記ネジ挿通孔に後側から挿通されて、前記複数の装飾部材を前記ベース枠に固定する固定ネジと、を備えた遊技機において、
前記複数の装飾部材には、特別装飾部材が含まれると共に、前記複数のネジ挿通孔には、前記特別装飾部材を固定する前記固定ネジが挿通される特別ネジ挿通孔が含まれ、
前記ベース枠の後面には、前記特別ネジ挿通孔の周囲に配置されて、前記複数のネジ挿通孔から前記特別ネジ挿通孔を特定するための目印が形成され、
前記特別装飾部材には、第１特別装飾部材と第２特別装飾部材とが含まれると共に、前記特別ネジ挿通孔には、前記第１特別装飾部材を固定する前記固定ネジが挿通される第１特別ネジ挿通孔と、前記第２特別装飾部材を固定する前記固定ネジが挿通される第２特別ネジ挿通孔とが含まれ、
前記目印として、前記第１特別ネジ挿通孔の周囲に配置されて前記複数のネジ挿通孔から前記第１特別ネジ挿通孔を特定するための第１目印と、前記第２特別ネジ挿通孔の周囲に配置されて前記複数のネジ挿通孔から前記第２特別ネジ挿通孔を特定するための第２目印とが設けられ、
前記特別装飾部材には、前記ベース枠に固定される固定ベースと、前記固定ベースに対して移動可能な可動部とが備えられ、
前記第１特別装飾部材には、前記可動部として、遊技者が操作可能な操作部が備えられ、
前記第２特別装飾部材には、前記可動部としての可動役物と前記可動役物を収容可能な役物収容部とが備えられ、
前記可動役物は、通常は前記役物収容部に収容され、予め設定された条件が成立したときに前記役物収容部の外側に突出することを特徴とする遊技機。
【請求項２】
前記第１特別装飾部材と前記第２特別装飾部材とが隣り合って配置されていることを特徴とする請求項１に記載の遊技機。
【発明の詳細な説明】
【技術分野】
【０００１】
本発明は、遊技領域を視認可能な開口部が形成されたベース枠に装飾が施された遊技機に関する。
【背景技術】
【０００２】
従来、この種の遊技機として、ベース枠に複数の装飾部材が固定されたものが知られている（例えば、特許文献１参照）。これら複数の装飾部材は、ベース枠に形成された複数のネジ挿通孔に後側から挿通された固定ネジによりベース枠に固定されていた。
【先行技術文献】
【特許文献】
【０００３】
【特許文献１】特開２０１４−０８３０６５号公報（段落［００７７］，［００７８］、図３）
【発明の概要】
【発明が解決しようとする課題】
【０００４】
上述した従来の遊技機においては、複数のネジ挿通孔の区別がつかず、複数の装飾部材のうちの特定の装飾部材を着脱する際に手間がかかるという欠点があった。
【０００５】
本発明は、上記事情に鑑みてなされたもので、特定の装飾部材の着脱を従来よりも容易にすることが可能な遊技機の提供を目的とする。
【課題を解決するための手段】
【０００６】
上記目的を達成するためになされた請求項１の発明に係る遊技機は、遊技球が流下可能な遊技領域を前面に有する遊技盤と、遊技盤の前方に配置され、遊技領域を視認可能とする開口部が形成されたベース枠と、ベース枠の前面に重ねられる複数の装飾部材と、ベース枠を前後方向に貫通する複数のネジ挿通孔と、各ネジ挿通孔に後側から挿通されて、複数の装飾部材をベース枠に固定する固定ネジと、を備えた遊技機において、複数の装飾部材には、特別装飾部材が含まれると共に、複数のネジ挿通孔には、特別装飾部材を固定する固定ネジが挿通される特別ネジ挿通孔が含まれ、ベース枠の後面には、特別ネジ挿通孔の周囲に配置されて、複数のネジ挿通孔から特別ネジ挿通孔を特定するための目印が形成され、特別装飾部材には、第１特別装飾部材と第２特別装飾部材とが含まれると共に、特別ネジ挿通孔には、第１特別装飾部材を固定する固定ネジが挿通される第１特別ネジ挿通孔と、第２特別装飾部材を固定する固定ネジが挿通される第２特別ネジ挿通孔とが含まれ、目印として、第１特別ネジ挿通孔の周囲に配置されて複数のネジ挿通孔から第１特別ネジ挿通孔を特定するための第１目印と、第２特別ネジ挿通孔の周囲に配置されて複数のネジ挿通孔から第２特別ネジ挿通孔を特定するための第２目印とが設けられ、特別装飾部材には、ベース枠に固定される固定ベースと、固定ベースに対して移動可能な可動部とが備えられ、第１特別装飾部材には、可動部として、遊技者が操作可能な操作部が備えられ、第２特別装飾部材には、可動部としての可動役物と可動役物を収容可能な役物収容部とが備えられ、可動役物は、通常は役物収容部に収容され、予め設定された条件が成立したときに役物収容部の外側に突出するところに特徴を有する。
【０００８】
請求項２の発明は、請求項１に記載の遊技機において、第１特別装飾部材と第２特別装飾部材とが隣り合って配置されているところに特徴を有する。
【発明の効果】
【００１２】
［請求項１の発明］
請求項１の遊技機によれば、目印を手掛かりに特別ネジ挿通孔を特定することができるので、特別装飾部材の着脱を従来よりも容易にすることが可能となる。
【００１３】
また、請求項１の遊技機によれば、第１及び第２の特別装飾部材のうちの一方のみの着脱も容易にすることが可能となる。
しかも、請求項１の遊技機では、特別装飾部材が固定ベースに対して移動可能な可動部を備えているため不具合が生じることがあり、交換や修理等により着脱頻度が比較的高くなるが、そのような着脱頻度の比較的高い特別装飾部材用のネジ挿通孔に目印を付けたので、これらの着脱を容易にすることが可能となる。
なお、可動部は、例えば、可動役物であってもよいし、遊技者が操作可能な操作部であってもよい。
【００１４】
なお、第１及び第２の特別装飾部材はそれぞれ離れた位置に配置されていてもよいが、請求項２のように隣り合って配置されていてもよい。請求項２の構成によれば、発明の恩恵をより多く受けることが可能となる。
【図面の簡単な説明】
【００１７】
【図１】本発明の一実施形態に係る遊技機の正面図
【図２】遊技機の斜視図
【図３】前面扉の分解斜視図
【図４】（Ａ）待機位置の可動役物の正面図、（Ｂ）演出位置の可動役物の正面図
【図５】ベース枠の背面図
【図６】ベース枠の拡大背面図
【図７】変形例にかかる目印の概念図
【発明を実施するための形態】
【００１８】
［第１実施形態］
以下、本発明を適用したパチンコ遊技機１０に係る一実施形態を、図１〜図６に基づいて説明する。図１に示すように、本実施形態のパチンコ遊技機１０（以下、「遊技機１０」という。）は、前面が前面扉１０Ｚにて覆われており、その前面扉１０Ｚの中央のガラス窓１０Ｗを通して遊技盤１１の前面に形成された遊技領域Ｒ１が視認可能になっている。
【００１９】
図２に示すように、前面扉１０Ｚは、遊技盤１１が固定された後方遊技機枠１０Ｂの前方に配され、前面扉１０Ｚと後方遊技機枠１０Ｂとは左端部同士がヒンジ結合されている。なお、前面扉１０Ｚは、通常時は後方遊技機枠１０Ｂに重ねられた状態（閉じた状態）で右下の施錠部１０Ｋにて施錠されている。
【００２０】
図１に示すように、前面扉１０Ｚのうちガラス窓１０Ｗより下方には、遊技球を貯留可能な上皿２６及び下皿２７が上下に並べて設けられると共に、上皿２６の前方には中央操作ボタン２９が設けられ、下皿２７の右側には操作ハンドル２８が設けられている。そして、操作ハンドル２８を回動操作すると、上皿２６に貯留された遊技球が遊技領域Ｒ１に向けて弾き出される。
【００２１】
遊技領域Ｒ１には、図示しない始動入賞口と大入賞口が備えられ、始動入賞口に遊技球が入球すると、賞球が上皿２６に払い出されると共に当否判定が行われる。当否判定の結果は、遊技領域Ｒ１に設けられた表示部（図示せず）にて、その結果に基づいた演出と共に表示される。大入賞口は、通常は、可動扉等で閉塞されて遊技球が入球困難な状態になっていて、上記当否判定の結果が当りとなったときに開放されて遊技球が入球可能な状態となる。
【００２２】
図３に示すように、本実施形態の前面扉１０Ｚは、中央に開口部１５Ｋが形成されたベース枠１５を備えている。このベース枠１５の後面に開口部１５Ｋを覆うガラス板１０Ｇを重ねることでガラス窓１０Ｗが構成されている。なお、ガラス板１０Ｇは、ベース枠１５の後面に備えられたクリップ１５Ｃ（図５参照）により固定されている。
【００２３】
また、ベース枠１５の前面には、各種部材２１，２２，３０，３１（本発明の「装飾部材」に相当する）が固定されている。具体的には、ベース枠１５における前面のうち、下辺部に上皿２６，下皿２７，中央操作ボタン２９及び操作ハンドル２８等を備える下部装飾部材３０が配され、左辺部に左辺装飾部材３１が配され、右辺部に本発明の「第１特別装飾部材」に相当する操作部構成部材２１が配され、上辺部に本発明の「第２特別装飾部材」に相当する役物演出構成部材２２が配されている。以下、操作部構成部材２１と役物演出構成部材２２とについて詳細を説明する。
【００２４】
図２に示すように、操作部構成部材２１は、ベース枠１５に固定される操作部受容部材２１Ａ（本発明の「固定ベース」に相当する）に、剣状をなして押下操作可能な操作部２０（本発明の「可動部」に相当する）を備えてなる。詳細には、操作部２０は、その下端部が操作部受容部材２１Ａに受容され、操作部受容部材２１Ａに内蔵された付勢バネ（図示せず）により上方へ付勢されている。そして、付勢バネの付勢力に対抗して操作部２０が押圧操作されると、操作部２０が下方へ移動したことがセンサ（図示せず）により検出される。操作部２０は、例えば、表示部に表示される演出中に遊技者により操作される。
【００２５】
役物演出構成部材２２は、上述したようにベース枠１５における前面のうち上辺部に配されており、その右端部は、操作部構成部材２１の上端部と当接している。つまり、操作部構成部材２１と役物演出構成部材２２とは隣り合って配置されている。
【００２６】
また、役物演出構成部材２２は、ベース枠１５に固定されたケース部材２２Ａ（本発明の「固定ベース」に相当する）の上方に開口した役物収容部６１（図４（Ａ）参照）に可動役物６５（本発明の「可動部」に相当する）を収容してなる。可動役物６５は、通常は、図４（Ａ）に示すように、役物収容部６１内に格納されて遊技者から視認困難位置に配置され、特定の演出条件が成立したとき（例えば、上記当否判定が当りとなったとき等）に、図４（Ｂ）に示すように、役物収容部６１の外側に突出して遊技者に視認可能となる演出位置に配置される。
【００２７】
なお、可動役物６５は、図４（Ａ）に示すように、1対の役物構成体６６，６６で構成されている。１対の役物構成体６６，６６は左右横並びに配置され、それらの上端部同士がヒンジ６７を介して結合されている。通常状態では、１対の役物構成体６６，６６は、役物収容部６１の上方開口を閉塞している。そして、上記した特定の演出条件が成立すると、１対の役物構成体６６，６６は、ヒンジ６７を中心に上方に回転して役物収容突部６０の外側に突出し、図４（Ｂ）に示すように合体する。
【００２８】
次に、上述した各種部材２１，２２，３０，３１の固定構造について説明する。各種部材２１，２２，３０，３１は、ベース枠１５の前面に重ねられた状態で、ベース枠１５の後側から挿通された固定ネジ１８（図５参照）によりベース枠１５に固定されている。具体的には、各種部材２１，２２，３０，３１の後面には、複数のネジ孔（図示せず）が形成されている。また、図５に示すように、ベース枠１５には、これらネジ孔と対応する位置に、前後方向に貫通したネジ挿通孔１６が複数形成されている。そして、これらネジ挿通孔１６に後側から挿通された固定ネジ１８が各種部材２１，２２，３０，３１のネジ孔に締結されることで、各種部材２１，２２，３０，３１がベース枠１５に固定されている。
【００２９】
ここで、本実施形態の遊技機１０では、ベース枠１５の後面のうち、操作部構成部材２１を固定する固定ネジ１８が挿通されるネジ挿通孔１６（以下、適宜「第１特別ネジ挿通孔１６Ａ」という）及び役物演出構成部材２２を固定する固定ネジ１８が挿通されるネジ挿通孔１６（以下、適宜「第２特別ネジ挿通孔１６Ｂ」という）の周囲には、複数のネジ挿通孔１６の中から第１特別ネジ挿通孔１６Ａ及び第２特別ネジ挿通孔１６Ｂを特定可能となるように目印１７が形成されている。
【００３０】
さらに、目印１７には、大矢印１７Ａ（本発明の「第１目印」に相当する）と小矢印１７Ｂ（本発明の「第２目印」に相当する）との２種類があり、第１特別ネジ挿通孔１６Ａの周囲には第１特別ネジ挿通孔１６Ａを指すように大矢印１７Ａが配置され、第２特別ネジ挿通孔１６Ｂの周囲には第２特別ネジ挿通孔１６Ｂを指すように小矢印１７Ｂが配置されている。また、本実施形態の遊技機１０では、操作部構成部材２１と役物演出構成部材２２とが隣り合って配置されているため、図６に示すように、その境界部分では、第１特別ネジ挿通孔１６Ａ及び大矢印１７Ａと第２特別ネジ挿通孔１６Ｂ及び小矢印１７Ｂとが近い場所に配置されている。
【００３１】
ところで、操作部構成部材２１は、上述したように遊技者により操作される操作部２０を備えているため不具合等が生じることがあり、交換や修理等のため、着脱頻度が比較的高くなっている。同様に、可動役物６５を備える役物演出構成部材２２も着脱頻度が比較的高くなっている。以下に、操作部構成部材２１及び役物演出構成部材２２の着脱について説明する。
【００３２】
操作部構成部材２１又は役物演出構成部材２２をベース枠１５から取り外す際の手順を、操作部構成部材２１を取り外す場合を例に説明する。まず、施錠部１０Ｋ（図２参照）を解錠して前面扉１０Ｚを開いた状態とし、クリップ１５Ｃ（図５参照）からガラス板１０Ｇを取り外す。そして、ベース枠１５の後側から、複数のネジ挿通孔１６のうちの大矢印１７Ａにより示されたネジ挿通孔１６（第１特別ネジ挿通孔１６Ａに相当する）に挿入されている固定ネジ１８を全て外す。これにより、操作部構成部材２１がベース枠１５から外れる。
【００３３】
同様に、役物演出構成部材２２を取り外す場合は、複数のネジ挿通孔１６のうちの小矢印１７Ｂにより示されたネジ挿通孔１６（第２特別ネジ挿通孔１６Ｂに相当する）に挿入されている固定ネジ１８を全て外す。これにより、役物演出構成部材２２がベース枠１５から外れる。
【００３４】
次に、操作部構成部材２１又は役物演出構成部材２２をベース枠１５に固定する際の手順を、操作部構成部材２１を取り付ける場合を例に説明する。まず、操作部構成部材２１をベース枠１５の前面に重ねる。そして、複数のネジ挿通孔１６のうちの大矢印１７Ａにより示されたネジ挿通孔１６（第１特別ネジ挿通孔１６Ａに相当する）に固定ネジ１８を挿入し、この固定ネジ１８を操作部構成部材２１のネジ孔に螺合させる。これにより、操作部構成部材２１がベース枠１５に固定される。その後、前面扉１０Ｚを閉じ、施錠部１０Ｋを解錠する。
【００３５】
同様に、役物演出構成部材２２を取り付ける場合は、役物演出構成部材２２をベース枠１５の前面に重ね、複数のネジ挿通孔１６のうちの小矢印１７Ｂにより示されたネジ挿通孔１６（第２特別ネジ挿通孔１６Ｂに相当する）に固定ネジ１８を挿入し、この固定ネジ１８を役物演出構成部材２２のネジ孔に螺合させる。これにより、役物演出構成部材２２がベース枠１５に固定される。
【００３６】
このように、本実施形態では、ベース枠１５の後面のうち第１特別ネジ挿通孔１６Ａの周囲と第２特別ネジ挿通孔１６Ｂの周囲とに目印１７を付けたので、この目印１７を手掛かりとすることで操作部構成部材２１及び役物演出構成部材２２を容易に着脱することが可能となる。また、操作部構成部材２１及び役物演出構成部材２２は、可動役物６５又は操作部２０を有しているため、不具合が生じることがあり着脱頻度が比較的高くなるが、そのような着脱頻度が比較的高い部材２１，２２用のネジ挿通孔１６に目印１７を付けたので、これらの着脱を容易にすることが可能となる。また、目印１７を矢印（大矢印１７Ａ、小矢印１７Ｂ）としたので、ネジ挿通孔１６が密集している場合でも目印１７がどのネジ挿通孔１６を指しているのかを特定しやすくすることが可能となる。
【００３７】
ここで、本実施形態の遊技機１０では、操作部構成部材２１と役物演出構成部材２２とが隣り合って配置されているため、第１特別ネジ挿通孔１６Ａの周囲と第２特別ネジ挿通孔１６Ｂの周囲とに同じ目印１７を設けた構成では、どちらか一方のみを着脱する際に、他方を固定する固定ネジ１８も着脱してしまうという問題が生じ得る。しかしながら、本実施形態の遊技機１０では、第１特別ネジ挿通孔１６Ａを示す目印１７（大矢印１７Ａ）と第２特別ネジ挿通孔１６Ｂを示す目印１７（小矢印１７Ｂ）とが異なっているので、操作部構成部材２１と役物演出構成部材２２とのうち一方のみを着脱する際にも作業を容易とすることが可能となる。
【００３８】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００３９】
（１）上記実施形態では、目印１７が矢印１７Ａ，１７Ｂであったが、例えば、図７（Ａ）に示すように三角形１７Ｃ，１７Ｄであってもよい。この場合、三角形１７Ｃ，１７Ｄを先端が尖った二等辺三角形状とすると、指し示すネジ挿通孔１６を特定しやすくすることが可能となる。また、この場合、例えば、第１特別ネジ挿通孔１６Ａを示す三角形１７Ｃと第２特別ネジ挿通孔１６Ｂを示す三角形１７Ｄとで大きさを異ならせることで、第１特別ネジ挿通孔１６Ａと第２特別ネジ挿通孔１６Ｂとの区別も可能となる。
【００４０】
また、目印１７は、図７（Ｂ）に示すように、第１特別ネジ挿通孔１６Ａ及び第２特別ネジ挿通孔１６Ｂを囲む円１７Ｅ，１７Ｆであってもよい。この場合、例えば、第１特別ネジ挿通孔１６Ａを囲む円１７Ｅを二重の円とし、第２特別ネジ挿通孔１６Ｂを囲む円１７Ｆを一重の円とすることで、第１特別ネジ挿通孔１６Ａと第２特別ネジ挿通孔１６Ｂとの区別も可能となる。
【００４１】
また、目印１７は、図７（Ｃ）に示すように、第１特別ネジ挿通孔１６Ａ及び第２特別ネジ挿通孔１６Ｂの開口縁部１７Ｇ，１７Ｈに、ベース枠１５の後面全体の色と異なる色をつける構成であってもよい（図７（Ｃ）に示すハッチング部分１７Ｇ，１７Ｈ）。この場合、第１特別ネジ挿通孔１６Ａの開口縁部１７Ｇと第２特別ネジ挿通孔１６Ｂの開口縁部１７Ｈとに異なる色をつけることで第１特別ネジ挿通孔１６Ａと第２特別ネジ挿通孔１６Ｂとの区別も可能となる。
【００４２】
また、目印１７は、Ａ，Ｂやイ，ロ等の文字や数字等であってもよい。
【００４３】
（２）上記実施形態では、特別装飾部材が２つであったが、１つであってもよいし、３つ以上であってもよい。
【００４４】
（３）上記実施形態では、本発明の「第２特別装飾部材」を、剣状の操作部２０を備えた操作部構成部材２１としていたが、円形ドーム状の中央操作ボタン２９（図２参照）を備えた下部装飾部材３０としてもよい。この場合、中央操作ボタン２９が本発明の「操作部」に相当する。
【００４５】
（４）上記実施形態では、本発明の「特別装飾部材」を、可動部（操作部２０、可動役物６５）を備える操作部構成部材２１や役物演出構成部材２２としていたが、可動部を備えない部材（例えば、左辺装飾部材３１）としてもよい。
【００４６】
（５）上記実施形態では、操作部構成部材２１と役物演出構成部材２２とが隣り合って配置されていたが、離れて配置されていてもよい。なお、この場合、第１特別ネジ挿通孔１６Ａの周囲の目印１７と第２特別ネジ挿通孔１６Ｂの周囲の目印１７とを同じものとしてもよい。このような構成としても、第１特別ネジ挿通孔１６Ａと第２特別ネジ挿通孔１６Ｂとを区別することが可能となる。
［上記実施形態及び上記他の実施形態の構成のまとめ］
上記実施形態及び上記他の実施形態には、以下の［１］〜［６］の構成が含まれている。
［１］
遊技球が流下可能な遊技領域を前面に有する遊技盤と、
前記遊技盤の前方に配置され、前記遊技領域を視認可能とする開口部が形成されたベース枠と、
前記ベース枠の前面に重ねられる複数の装飾部材と、
前記ベース枠を前後方向に貫通する複数のネジ挿通孔と、
各前記ネジ挿通孔に後側から挿通されて、前記複数の装飾部材を前記ベース枠に固定する固定ネジと、を備えた遊技機において、
前記複数の装飾部材には、特別装飾部材が含まれると共に、前記複数のネジ挿通孔には、前記特別装飾部材を固定する前記固定ネジが挿通される特別ネジ挿通孔が含まれ、
前記ベース枠の後面には、前記特別ネジ挿通孔の周囲に配置されて、前記複数のネジ挿通孔から前記特別ネジ挿通孔を特定するための目印が形成されたことを特徴とする遊技機。
［１］の遊技機によれば、目印を手掛かりに特別ネジ挿通孔を特定することができるので、特別装飾部材の着脱を従来よりも容易にすることが可能となる。
［２］
前記特別装飾部材には、第１特別装飾部材と第２特別装飾部材とが含まれると共に、前記特別ネジ挿通孔には、前記第１特別装飾部材を固定する前記固定ネジが挿通される第１特別ネジ挿通孔と、前記第２特別装飾部材を固定する前記固定ネジが挿通される第２特別ネジ挿通孔とが含まれ、
前記目印として、前記第１特別ネジ挿通孔の周囲に配置されて前記複数のネジ挿通孔から前記第１特別ネジ挿通孔を特定するための第１目印と、前記第２特別ネジ挿通孔の周囲に配置されて前記複数のネジ挿通孔から前記第２特別ネジ挿通孔を特定するための第２目印とが設けられたことを特徴とする［１］に記載の遊技機。
［２］の遊技機によれば、第１及び第２の特別装飾部材のうちの一方のみの着脱も容易にすることが可能となる。
［３］
前記第１特別装飾部材と前記第２特別装飾部材とが隣り合って配置されていることを特徴とする［２］に記載の遊技機。
なお、第１及び第２の特別装飾部材はそれぞれ離れた位置に配置されていてもよいが、［３］のように隣り合って配置されていてもよい。［３］の構成によれば、発明の恩恵をより多く受けることが可能となる。
［４］
前記特別装飾部材には、前記ベース枠に固定される固定ベースと、前記固定ベースに対して移動可能な可動部とが備えられたことを特徴とする［１］乃至［３］の何れか１に記載の遊技機。
［４］の遊技機では、特別装飾部材が固定ベースに対して移動可能な可動部を備えているため不具合が生じることがあり、交換や修理等により着脱頻度が比較的高くなるが、そのような着脱頻度の比較的高い特別装飾部材用のネジ挿通孔に目印を付けたので、これらの着脱を容易にすることが可能となる。
［５］
前記特別装飾部材には、前記ベース枠に固定される固定ベースと、前記固定ベースに対して移動可能な可動部とが備えられ、
前記第１特別装飾部材には、前記可動部として、遊技者が操作可能な操作部が備えられたことを特徴とする［２］又は［３］に記載の遊技機。
［６］
前記第２特別装飾部材には、前記可動部としての可動役物と前記可動役物を収容可能な役物収容部とが備えられ、
前記可動役物は、通常は前記役物収容部に収容され、予め設定された条件が成立したときに前記役物収容部の外側に突出することを特徴とする［５］に記載の遊技機。
なお、可動部は、例えば、可動役物であってもよいし、遊技者が操作可能な操作部であってもよい。［５］の構成のように第１特別装飾部材の可動部を操作部とした場合には、第２特別装飾部材は可動部を備えない構成であってもよいし、可動部を備える構成であってもよい。後者の場合において、第２特別装飾部材の可動部は、第１特別装飾部材の可動部と同様に操作部としてもよいし、［６］の構成のように可動役物としてもよい。
【符号の説明】
【００４７】
１０    遊技機
１０Ｚ    前面扉
１５    ベース枠
１５Ｋ    開口部
１６    ネジ挿通孔
１６Ａ    第１特別ネジ挿通孔
１６Ｂ    第２特別ネジ挿通孔
１７    目印
１７Ａ    大矢印（第１目印）
１７Ｂ    小矢印（第２目印）
１８    固定ネジ
２０    操作部（可動部）
２１    操作部構成部材（第１特別装飾部材）
２２    役物演出構成部材（第２特別装飾部材）
６５    可動役物（可動部）
【図１】
0006043907.tif 000002
【図２】
0006043907.tif 000003
【図３】
0006043907.tif 000004
【図４】
0006043907.tif 000005
【図５】
0006043907.tif 000006
【図６】
0006043907.tif 000007
【図７】
0006043907.tif 000008